(57)【要約】 【課題】  コネクタハウジングを成形するための金型構造を簡素化する。【解決手段】  端子収容室１１Ａを備えた雌ハウジング１０と、回動軸５８回りの回動操作に伴い相手側の雄ハウジング８０に形成されたカムピン８６を、側板７１に形成されたカム溝７２に沿って案内することで、両ハウジング１０，８０をカム作用によって嵌合状態とするレバー７０とを備える。レバー７０は、雌ハウジング１０とは別体に形成され、雌ハウジング１０の後部に装着されるリアホルダ５０に組み付けられる。リアホルダ５０は、レバー７０の回動操作によって両ハウジング１０，８０の嵌合動作が完了した後に、雌ハウジング１０の後部に収容されたシール部材４０をその押さえ面５１Ａにて厚み方向から圧縮することで、シール部材４０の電線挿通孔４１を縮径させる。【選択図】  図８
2006302769.tif 000002
【特許請求の範囲】
【請求項１】
端子金具を収容する端子収容室を備えたコネクタハウジングと、回動軸回りの回動操作に伴い相手側コネクタハウジングに形成されたカムピンを、側板に形成されたカム溝に沿って案内することで、前記両コネクタハウジングをカム作用によって嵌合状態とするレバーとを備えたコネクタであって、
前記コネクタハウジングとは別体に形成され、前記端子収容室への前記端子金具の挿入方向と同方向にこの端子金具を差し込み可能な差込口が後面に開口して前記コネクタハウジングの後部に装着されるリア部材を備え、
前記レバーは、前記リア部材に組み付けられることを特徴とするコネクタ。
【請求項２】
前記コネクタハウジングの後面側には内周面がシール面とされた収容空間が設けられるとともに、この収容空間内には前記シール面に密着した状態でシール部材が収容され、かつこのシール部材には常には拡径状態にあって前記端子金具及び同端子金具に接続された電線を挿通可能な複数の電線挿通孔が貫通して形成される一方、
前記リア部材は、前記コネクタハウジングに装着されかつ前記シール部材の後面を押さえ付けて保持する押さえ面が設けられ、さらにその後面に前記各電線挿通孔へ前記端子金具及び前記電線を遊挿可能な前記差込口が開口するリアホルダであり、
このリアホルダは前記レバーの回動操作によって前記両コネクタハウジングの嵌合動作が完了した後に、同リアホルダが前記シール部材を前記押さえ面にて厚み方向から圧縮することで、前記電線挿通孔を縮径させてその内周面を前記電線に水密状態で密着可能としたことを特徴とする請求項１に記載のコネクタ。
【請求項３】
前記リアホルダは前記コネクタハウジングの後部外周面を包囲する側部を有し、
この側部が、前記両コネクタハウジングの嵌合動作が完了したあと前記シール部材の圧縮動作が完了するまでの間、前記コネクタハウジングの後部外周面に沿って相対変位する構成としたことを特徴とする請求項２に記載のコネクタ。
【請求項４】
前記コネクタハウジングの後面側には、内部にシール部材を収容可能な収容空間が保有されかつその内周面がシール面とされており、
前記収容空間内に、前記シール面に密着し、常には拡径状態にあって前記端子金具及び同端子金具に接続された電線を挿通可能な複数の電線挿通孔を備えたシール部材が収容されたときには、
前記リア部材は、前記コネクタハウジングに装着可能でありかつ前記シール部材の後面を押さえ付けて保持する押さえ面が設けられ、さらにその後面には前記各電線挿通孔へ前記端子金具及び前記電線を遊挿可能な差込口が開口する第１リア部材が選択され、かつこの第１リア部材は前記レバーの回動操作によって前記両コネクタハウジングの嵌合が完了した後に、同第１リア部材が前記シール部材を前記押さえ面にて厚み方向から圧縮することで、前記電線挿通孔を縮径させてその内周面を前記電線に水密状態で密着可能であり、
前記収容空間内に、前記シール部材が収容されないときには、
前記リア部材は、前記収容空間内に嵌合する基部を有し、かつこの基部にはその後面に開口する前記各差込口からこれらに対応する前記端子収容室に至るまで差込路が形成された第２リア部材が選択されて前記コネクタハウジングに対して装着されることを特徴とする請求項１に記載のコネクタ。
【発明の詳細な説明】
【技術分野】
【０００１】
本発明は、コネクタに関する。
【背景技術】
【０００２】
特許文献１に記載のコネクタは、端子金具を収容する端子収容室が設けられたコネクタハウジングと、コネクタハウジングに対して回動可能に装着されるレバーと、コネクタハウジングの後面に形成されたシール栓装着口に嵌入されるシール栓と、シール栓の後面に当着してシール栓の抜け出しを防止するリアホルダとを備えて構成されている。コネクタハウジングの両側面にはレバーの回動支点となる回動軸が突設されている。
【特許文献１】特開平１０−３９６３号公報
【発明の開示】
【発明が解決しようとする課題】
【０００３】
ところで、コネクタハウジングは端子収容室が設けられる等して複雑な構造となっており、この上さらにレバーを装着するための回動軸を付加するとなると、コネクタハウジングを成形するための金型構造が複雑化する嫌いがある。
また、例えば、レバーを交換しようとすると、コネクタハウジングまでも交換しなければならず、不経済である。
【０００４】
本発明は上記のような事情に基づいて完成されたものであって、コネクタハウジングを成形するための金型構造を簡素化するとともに、レバーを交換する際にコネクタハウジングまで交換しなくて済むようにすることを目的とする。
【課題を解決するための手段】
【０００５】
上記の目的を達成するための手段として、請求項１の発明は、端子金具を収容する端子収容室を備えたコネクタハウジングと、回動軸回りの回動操作に伴い相手側コネクタハウジングに形成されたカムピンを、側板に形成されたカム溝に沿って案内することで、前記両コネクタハウジングをカム作用によって嵌合状態とするレバーとを備えたコネクタであって、前記コネクタハウジングとは別体に形成され、前記端子収容室への前記端子金具の挿入方向と同方向にこの端子金具を差し込み可能な差込口が後面に開口して前記コネクタハウジングの後部に装着されるリア部材を備え、前記レバーは、前記リア部材に組み付けられる構成としたところに特徴を有する。
【０００６】
請求項２の発明は、請求項１に記載のものにおいて、前記コネクタハウジングの後面側には内周面がシール面とされた収容空間が設けられるとともに、この収容空間内には前記シール面に密着した状態でシール部材が収容され、かつこのシール部材には常には拡径状態にあって前記端子金具及び同端子金具に接続された電線を挿通可能な複数の電線挿通孔が貫通して形成される一方、前記リア部材は、前記コネクタハウジングに装着されかつ前記シール部材の後面を押さえ付けて保持する押さえ面が設けられ、さらにその後面に前記各電線挿通孔へ前記端子金具及び前記電線を遊挿可能な前記差込口が開口するリアホルダであり、このリアホルダは前記レバーの回動操作によって前記両コネクタハウジングの嵌合動作が完了した後に、同リアホルダが前記シール部材を前記押さえ面にて厚み方向から圧縮することで、前記電線挿通孔を縮径させてその内周面を前記電線に水密状態で密着可能としたところに特徴を有する。
【０００７】
請求項３の発明は、請求項２に記載のものにおいて、前記リアホルダは前記コネクタハウジングの後部外周面を包囲する側部を有し、この側部が、前記両コネクタハウジングの嵌合動作が完了したあと前記シール部材の圧縮動作が完了するまでの間、前記コネクタハウジングの後部外周面に沿って相対変位する構成としたところに特徴を有する。
【０００８】
請求項４の発明は、請求項１に記載のものにおいて、前記コネクタハウジングの後面側には、内部にシール部材を収容可能な収容空間が保有されかつその内周面がシール面とされており、前記収容空間内に、前記シール面に密着し、常には拡径状態にあって前記端子金具及び同端子金具に接続された電線を挿通可能な複数の電線挿通孔を備えたシール部材が収容されたときには、前記リア部材は、前記コネクタハウジングに装着可能でありかつ前記シール部材の後面を押さえ付けて保持する押さえ面が設けられ、さらにその後面には前記各電線挿通孔へ前記端子金具及び前記電線を遊挿可能な差込口が開口する第１リア部材が選択され、かつこの第１リア部材は前記レバーの回動操作によって前記両コネクタハウジングの嵌合が完了した後に、同第１リア部材が前記シール部材を前記押さえ面にて厚み方向から圧縮することで、前記電線挿通孔を縮径させてその内周面を前記電線に水密状態で密着可能であり、前記収容空間内に、前記シール部材が収容されないときには、前記リア部材は、前記収容空間内に嵌合する基部を有し、かつこの基部にはその後面に開口する前記各差込口からこれらに対応する前記端子収容室に至るまで差込路が形成された第２リア部材が選択されて前記コネクタハウジングに対して装着されるところに特徴を有する。
【発明の効果】
【０００９】
＜請求項１の発明＞
請求項１の発明によれば、レバーをコネクタハウジングに組み付けるのではなく、これとは別体のリア部材に装着するようにしている。これにより、レバーの組み付けに必要な構造がコネクタハウジングとは別の部材（リア部材）に集約されるから、コネクタハウジングを成形するための金型構造を簡素化することができる。また、レバーを交換するに際して、コネクタハウジングまでも交換しなくて済む。
【００１０】
＜請求項２の発明＞
レバーを回動操作する前にはシール部材の各電線挿通孔は拡径状態にあるため、端子金具及び電線を容易に挿通させることができる。一方、レバーを回動操作して雌雄の両コネクタハウジングを嵌合させた後は、リアホルダが前進し押さえ面にてシール部材を圧縮するため、各電線挿通孔は縮径変形させられる。これにより、各電線は電線挿通孔の内周面に沿って密着するため、それぞれ確実にシールされた状態となる。
しかも、サイズの大きな端子金具に対応して電線挿通孔の孔径を大きく設定することが可能となり、また、このように電線挿通孔の孔径を大きくすることで、端子金具の挿入時に電線挿通孔の内周面やシール部材の孔縁が損傷する事態を回避できる。
【００１１】
＜請求項３の発明＞
リアホルダの側部が、両コネクタハウジングの嵌合動作が完了したあとシール部材の圧縮動作が完了するまでの間、つまりはシール部材の圧縮動作が進行する間、コネクタハウジングの後部外周面に沿って相対変位するようになっている。したがって、リアホルダの側部の移動ストロークを視認することでシール部材の圧縮量を知ることができる。
【００１２】
＜請求項４の発明＞
コネクタとして防水性が要求される場合には、収容空間内にシール部材を収容し、そのもとで第１リア部材が選択される。そして、レバーを回動操作する前に電線付き端子金具を差込口を通して拡径状態にある電線挿通孔へ差込み、さらに端子収容室へ収容させる。その後、レバーを回動操作して雌雄のコネクタハウジングを嵌合させた後は、第１リア部材が前進し押さえ面にてシール部材を圧縮するため、各電線挿通孔は縮径変形させられる。これにより、各電線は電線挿通孔の内周面に沿って密着するため、それぞれシールされた状態となる。
一方、コネクタに防水性が特に要求されない場合には、第２リア部材が選択される。その場合には、シール部材に代えて基部がコネクタハウジングの収容空間内に嵌め入れられる。すると、差込路が対応する端子収容室に至るまで長さ方向に連続するため、端子金具は差込口から端子収容室へ至るまでの間、ほぼ切れ目なく差し込み操作が案内されることとなり、円滑な差し込み操作が可能とされる。
【００１３】
以上のように、請求項４の発明によれば、コネクタとしての防水性の要求の有無に応じて第１、第２のリア部材を選択してコネクタハウジングに装着することにより、コネクタハウジングを共用化することができる。したがって、仕様毎の専用品とならないため、部品種を減らすことができる。
【発明を実施するための最良の形態】
【００１４】
＜実施形態１＞
本発明の実施形態１を図１ないし図２５によって説明する。本実施形態のコネクタは、雌側のコネクタハウジング（以下、単に雌ハウジング１０という）、フロントマスク２０、リテーナ３０、シール部材４０、リアホルダ５０、レバー７０、電線カバー６０を備えて構成される。雌ハウジング１０は、相手側コネクタの雄ハウジング８０に嵌合可能とされる。雌雄の両ハウジング１０，８０、フロントマスク２０、リテーナ３０、リアホルダ５０、レバー７０、電線カバー６０は、合成樹脂材により形成され、シール部材４０は、ゴム材により形成されている。なお、以下の説明においては、両ハウジング１０，８０の互いの嵌合面側を前方とする。
【００１５】
相手側となる雄ハウジング８０は、図１及び図９に示すように、雄端子金具のタブ８１が装着される端子装着部８２と、端子装着部８２の前面から前方へ突出する角筒状のフード部８３とからなる。フード部８３内には、複数のタブ８１が突出して配され、さらに雌ハウジング１０側との誤組み付けを防止するための誤組み付け防止リブ８４が突出して配されている。各タブ８１のうち、右側２列に整列されたものは幅広に形成され、左側６列に整列されたものは幅狭に形成されており、それぞれの電流量に応じたサイズとなっている。誤組み付け防止リブ８４は、幅狭に形成されたタブ群の領域側にて４つ対角状に配されている。かかる誤組み付け防止リブ８４は、両ハウジング１０，８０の一方が上下反転姿勢をとったときに、雌ハウジング１０側の前面と干渉しそれ以上の両ハウジング１０，８０の嵌合動作を阻止する役割を担っている。
【００１６】
フード部８３内には雌ハウジング１０が嵌入可能とされ、その内周面には雌ハウジング１０側との嵌合動作を案内するための複数のガイドリブ８５が前後方向に沿って形成されている。そして、フード部８３の上下両外周面には、その幅方向中央部の前端寄りに、上下一対のカムピン８６が突設されている。カムピン８６は、その突出端に大径のフランジ部８６Ａを有する円柱状をなし、レバー７０の側板７１に形成されたカム溝７２に沿って移動可能となっている。
【００１７】
雌ハウジング１０は、図１０及び図１１に示すように、端子収容室１１Ａを備えた角ブロック状の端子収容部１１と、端子収容部１１よりも一回り大きくなって端子収容部１１の後面から後方へ突出する角筒状の嵌合筒部１２とからなる。端子収容部１１は雌ハウジング１０の全長に対して概ね３分の２の領域を保有し、残りの概ね３分の１の領域を嵌合筒部１２が保有している。
【００１８】
端子収容室１１Ａ内には後方から複数の雌端子金具１３が挿入され、挿入された雌端子金具１３が端子収容室１１Ａの内周面に突出して形成されたランス１１Ｂに弾性係止されるようになっている（図２５を参照）。各雌端子金具１３のうち大型サイズの箱部１３Ａを有するものは端子収容部１１において右側２列に整列された端子収容室１１Ａに収容され、小型サイズの箱部１３Ａを有するものは端子収容部１１において左側６列に整列された端子収容室１１Ａに収容される。両ハウジング１０，８０の嵌合動作に伴い雌端子金具１３の箱部１３Ａ内に対応するタブ８１が進入すると、両端子金具間の導通がとられるようになっている。また、左側６列に整列された端子収容室１１Ａの領域内には、その前面に誤組み付け防止リブ８４が進入可能な誤組み付け防止リブ受け溝１１Ｅが幅方向に延出して形成されている。
【００１９】
端子収容部１１と嵌合筒部１２との間に形成された段差面１９には、フロントマスク２０側とのシールをとるためのコネクタシール９０が当着されている。コネクタシール９０は、ゴム材によって略方形環状に形成され、端子収容部１１の外周面に対し前方から嵌着可能とされる。また、端子収容部１１の上下両面の前端寄りには、上下一対のガイド溝１１Ｆが幅方向（左右方向）に沿って形成されている。両ガイド溝１１Ｆ内にはフロントマスク２０に形成されたガイド突条２１が摺動可能とされる。
【００２０】
端子収容部１１の右側面には略方形状のリテーナ装着孔１４が開口して形成されている。リテーナ装着孔１４は、横並びの端子収容室１１Ａを全て連通する深さをもって形成され、その内部にはリテーナ３０に形成されたアーム部３１が進入可能とされる。
さらに、端子収容部１１の前面には、その幅方向中央部の上下両端に、フロントマスク２０に対する仮係止突部１１Ｇ及び本係止突部１１Ｈが並んで形成されている。仮係止突部１１Ｇ及び本係止突部１１Ｈの両脇は凹所とされ、この凹所にフロントマスク２０に形成された係止爪２２が弾性的に嵌まり込んで仮係止突部１１Ｇ及び本係止突部１１Ｈに係止することにより、フロントマスク２０が仮係止位置及び本係止位置にそれぞれ留め置かれるようになっている。
【００２１】
嵌合筒部１２の内側はシール部材４０の収容空間１２Ｓとなっており（図２４を参照）、その内周面がシール部材４０の外周面に密着するようになっている。シール部材４０は嵌合筒部１２の前半領域に収容され、嵌合筒部１２の後半領域にはリアホルダ５０に形成された基部５１が収容される（図２５を参照）。
嵌合筒部１２の上下両面には、その幅方向中央部の前端に、前後方向に延出する係合リブ１５が形成されている。係合リブ１５は、リアホルダ５０に形成されたリブ受け溝５２と摺動可能とされ、突出端側へ行くほど幅広となるあり状（鳩尾状）に形成されている。嵌合筒部１２のうち係合リブ１５よりも後方領域は略方形状に切り欠かれて開放されている。嵌合筒部１２の上下両面において係合リブ１５を挟んだ両側には、前後方向に延出する左右一対（上下あわせて二対）のガイド部１６が形成されている。両ガイド部１６はリアホルダ５０に形成されたガイド受け溝５３と摺動してリアホルダ５０の装着動作を案内するようになっている。
【００２２】
嵌合筒部１２の両側面には、その高さ方向中央部に、左右一対の係止突部１７が形成されている。係止突部１７には、リアホルダ５０に形成された係止受け部５４が弾性係止可能とされ、これによりリアホルダ５０が後方へ抜け出ないようになっている。係止突部１７の後面は、後方へ向けて下り勾配となるテーパ面１７Ａとされ、リアホルダ５０の装着時にはここに係止受け部５４が円滑に摺動するようになっている。
【００２３】
フロントマスク２０は、図１１及び図１２に示すように、端子収容部１１の前面を覆うように配される前板部２３と、前板部２３の右端縁から後方へ突出する側板部２４と、前板部２３の上下両端と側板部２４の上下両端とに連なりさらに後方へ突出する天板部２５及び底板部２６とからなる。
前板部２３には、雄ハウジング８０側のタブ８１と対応する位置に、タブ挿通口２３Ａが開口して形成され、ここから端子収容室１１Ａへ連通可能となっている。また、前板部２３には、雄ハウジング８０側の誤組み付け防止リブ８４と対応する位置に、誤組み付け防止リブ挿通口２３Ｂが開口して形成され、ここから誤組み付け防止リブ受け溝１１Ｅへ連通可能となっている。さらに、前板部２３の左端部には、導通検査用の治具（プローブピン）を挿通するための円形の治具挿通口２３Ｅが縦一列に並んで形成されている。
【００２４】
前板部２３の後面側には、その幅方向中央部の上下両端に、上下一対の係止爪２２が形成されている。フロントマスク２０は、前板部２３が雌ハウジング１０の前面に沿って幅方向（左右方向）に沿って移動することで、仮係止位置と本係止位置との間を変位可能とされるが、この場合に、係止爪２２が端子収容部１１の仮係止突部１１Ｇと弾性係止することで仮係止位置に留め置かれ、係止爪２２が端子収容部１１の本係止突部１１Ｈと弾性係止することで本係止位置に留め置かれるようになっている。
【００２５】
フロントマスク２０が仮係止位置にあるときには、図２２に示すように、前板部２３のタブ挿通口２３Ａと端子収容室１１Ａの前面開口とが整合位置から幅方向に少し位置ずれし、端子収容室１１Ａに収容された雌端子金具１３の箱部１３Ａの前壁１３Ｂがタブ挿通口２３Ａを臨む位置に配される。導通検査時には、図２５に示すように、フロントマスク２０を仮係止状態としてタブ挿通口２３Ａから導通検査用の治具９９を通すことにより、治具９９の先端を雌端子金具１３の箱部１３Ａの前壁１３Ｂに当接させるようにしている。これにより、フロントマスク２０の前板部２３に、端子収容室１１Ａ毎の専用の治具挿通口２３Ｅを設けなくて済むようになる。また、治具９９の先端を箱部１３Ａ内に配された舌片１３Ｆに当接させないので、舌片１３Ｆが治具９９により塑性変形する事態を回避できる。さらに、タブ挿通口２３Ａの開口縁には全周に亘ってテーパ状（ラッパ状）の誘い込み面２３Ｆが形成されているので、治具９９の先端が箱部１３Ａの前壁１３Ｂへ円滑かつ確実に案内される。なお、最右端に位置する端子収容室１１Ａに収容される雌端子金具１３に関しては、フロントマスク２０が仮係止位置にあるときに、対応するタブ挿通口２３Ａが位置しないので、専用の治具挿通口２３Ｅを通して導通検査を行うようにしている。
【００２６】
また、フロントマスク２０が本係止位置にあるときには、図２３に示すように、前板部２３のタブ挿通口２３Ａと端子収容室１１Ａの前面開口とが整合位置し、タブ挿通口２３Ａから端子収容室１１Ａへタブ８１の挿通操作が可能とされる。さらに、雌ハウジング１０を成形する際には端子収容部１１の前面にランス１１Ｂの撓み空間が開口するが、フロントマスク２０が本係止位置に至ると、かかるランス１１Ｂの撓み空間の前方が前板部２３によって閉塞されるので、撓み空間内に異物が進入してランス１１Ｂが不用意に撓み変形する事態を回避できる。
【００２７】
側板部２４の外側面は仮係止位置から本係止位置へフロントマスク２０を移動させる際の押し操作面２４Ａとされる。フロントマスク２０が本係止位置に至ったときに、側板部２４は端子収容部１１の右側面に当着されてリテーナ装着孔１４の開口縁の直前方に配される。側板部２４の後方にはリテーナ３０の挿通を許容するリテーナ挿通凹部２４Ｂが形成されており、このリテーナ挿通凹部２４Ｂからリテーナ装着孔１４へリテーナ３０の挿入操作が可能とされる。
【００２８】
天板部２５及び底板部２６には、その前後方向中央部に、幅方向に沿って延出する上下一対のガイド突条２１が形成されている。ガイド突条２１が端子収容部１１のガイド溝１１Ｆに摺動することでフロントマスク２０のスライド動作が案内される。また、天板部２５及び底板部２６には、雄ハウジング８０側のガイドリブ８５と対応する位置に、複数のガイドリブ受け溝２７が前後方向に沿って形成されている。ガイドリブ８５がガイドリブ受け溝２７に沿って移動することで、両ハウジング１０，８０の嵌合動作が案内されるようになっている。さらに、天板部２５及び底板部２６の後端縁は、コネクタシール９０の上下両前端縁と当着してコネクタシール９０を段差面１９との間に挟持可能となっている。
【００２９】
リテーナ３０は、図１１及び図２４に示すように、いわゆるサイドタイプのリテーナであって、リテーナ装着孔１４の開口を閉止可能な大きさの略方形板状の操作部３２と、操作部３２の両端から互いに略平行に突出する上下一対のアーム部３１とからなる。
両アーム部３１は、櫛歯状をなし、その上下両面に所定ピッチをあけて複数の係止突起３３が並設されている。これら係止突起３３は、各端子収容室１１Ａに対応して設けられており、基端側の２列が大型の雌端子金具１３に対応し、先端側の６列が小型の雌端子金具１３に対応している。また、両アーム部３１の前面には幅方向に沿って複数の係止構造部３４が形成されている。係止構造部３４が端子収容部１１の内部に形成された係止構造受け部（図示せず）に係止することでリテーナ３０が仮係止位置及び本係止位置にそれぞれ留め置かれるようになっている。
【００３０】
リテーナ３０が仮係止位置にあるときには、操作部３２がリテーナ装着孔１４の開口上に浮いた状態となり、かつ係止突起３３が端子収容室１１Ａの側方に退避して配される。一方、操作部３２への押し込み操作によってリテーナ３０が本係止位置に至ると、操作部３２がリテーナ装着孔１４の開口を閉止し、かつ係止突起３３が端子収容室１１Ａ内に進入する。このとき、端子収容室１１Ａ内に雌端子金具１３が正規挿入されていると、箱部１３Ａの後端におけるあご部１３Ｇに対して係止突起３３が係止可能とされる。結果、雌端子金具１３はランス１１Ｂとリテーナ３０とによる二重の抜け止めがなされる。
【００３１】
シール部材４０は、図１３及び図１４に示すように、前後方向に所定厚みをもった略方形ブロック状をなし、いわゆる一括ワイヤシール栓として構成される。シール部材４０には、常には拡径状態にあって後方から雌端子金具１３及び雌端子金具１３に接続された電線１８を挿通可能な複数の電線挿通孔４１が断面円形に貫通して形成されている。各電線挿通孔４１の内周面を対応する電線１８に対し周方向から水密状態で密着させることにより、シール部材４０と電線１８との間のシールがとられるようになっている。また、シール部材４０の外周面を嵌合筒部１２の内周面（シール面）に対し周方向から水密状態で密着させることにより、シール部材４０と雌ハウジング１０との間のシールがとられるようになっている。
【００３２】
電線挿通孔４１のうち右側２列に整列されたものは大電流用の雌端子金具１３に対応して大径とされ、左側６列に整列されたものは小電流用の雌端子金具１３に対応して小径とされる。各電線挿通孔４１の内周面には周方向に沿って複数条（３条）の内周リップ４２が形成されている。また、シール部材４０の外周面には周方向に沿って複数条（３条）の外周リップ４３が形成されている。シール部材４０のシール時には、内周リップ４２が電線１８によって高さ方向に圧潰され、外周リップ４３が嵌合筒部１２の内周面によって同じく高さ方向に圧潰される。
【００３３】
嵌合筒部１２の前半領域にシール部材４０を挿入したあと嵌合筒部１２の後半領域にリアホルダ５０の基部５１を挿入すると、シール部材４０の後面がリアホルダ５０の基部５１の前面（押さえ面５１Ａ）に押さえ付けられる。さらにリアホルダ５０の基部５１が後述するレバー７０の回動動作に基づいて嵌合筒部１２内を前進すると、シール部材４０が基部５１の押さえ面５１Ａと嵌合筒部１２の奥面（端子収容部１１の後面）との間で厚み方向に圧縮され、もって電線挿通孔４１が縮径されてその内周面が電線１８を緊密に密着するようになる。
【００３４】
リアホルダ５０は、図１５ないし図１７に示すように、前面が開放されたキャップ状をなし、方形ブロック状の基部５１と、基部５１の後端全周から略直角に立ち上げられた板状の突縁部５５と、突縁部５５の突出端側から前方へ突出する板状の側部５６Ａ，５６Ｂと、突縁部５５の突出端側から後方へ突出する板状のロック片５７とからなる。側部５６Ａ，５６Ｂの内周面と基部５１の外周面との間は全周に亘ってほぼ一定間隔をあけた嵌合空間とされ、この嵌合空間に対し前方から嵌合筒部１２の周壁が突入可能とされる。
【００３５】
基部５１には、シール部材４０側の電線挿通孔４１と対応する位置に、雌端子金具１３及びこの雌端子金具１３に接続された電線１８を対応する電線挿通孔４１へ挿通するための複数の差込路５１Ｂが前後方向に貫通して形成されている。差込路５１Ｂは、箱部１３Ａよりも一回り大きい略方形の断面外形を有し、後面に開口する差込口を通して雌端子金具１３及びこの雌端子金具１３に接続された電線１８を遊挿可能となっている。
【００３６】
側部５６Ａ，５６Ｂは、詳細には左右一対の側壁板５６Ａと上下一対のレバー装着板５６Ｂとからなる。両側壁板５６Ａの高さ方向中央部には、内外に撓み変形可能とされた左右一対の係止受け部５４が形成されている。係止受け部５４を挟んだ両側には両側壁板５６Ａの前端に開口する上下一対（左右あわせて二対）のスリット５６Ｅが入れられており、両スリット５６Ｅ間にて係止受け部５４の撓み変形動作が可能となっている。係止受け部５４の中央部には略方形状の係合孔５４Ａが形成されている。リアホルダ５０と嵌合筒部１２とが正規深さで嵌合すると、係止受け部５４が係止突部１７を弾性的に乗り越えてその係合孔５４Ａに係止突部１７が嵌め入れられ、係合孔５４Ａの開口前縁部に係止突部１７の前面（係止面）が係止するようになっている。係止突部１７と係合孔５４Ａの開口縁との間はクリアランスがあいており、後述するようにレバー７０の回動動作の終盤に至ると、このクリアランスの範囲内でリアホルダ５０の摺動動作が可能となっている。
【００３７】
両レバー装着板５６Ｂの幅方向中央部には、その両側から一段高くなるようにして膨出部５６Ｆが形成されている。膨出部５６Ｆには、上下一対のリブ受け溝５２が前面及び内周面に開口しかつ前後方向に延出して形成されている。リブ受け溝５２は、嵌合筒部１２の係合リブ１５と対応してあり溝状をなしている。リブ受け溝５２と係合リブ１５とがありつぎ状態で係合することにより、レバー装着板５６Ｂに対し拡開方向の力が作用しても、レバー装着板５６Ｂが雌ハウジング１０側から離脱しないようになっている。また、レバー装着板５６Ｂのうちリブ受け溝５２を挟んだ両側には、嵌合筒部１２のガイド部１６と対応する左右一対（上下あわせて二対）のガイド受け溝５３が前面及び内周面に開口しかつ前後方向に延出して形成されている。リアホルダ５０は、これらガイド部１６及び係合リブ１５に摺動案内されつつ嵌合筒部１２に嵌着されるようになっている。
【００３８】
両膨出部５６Ｆの外周面には、レバー７０を回動可能に支持するための上下一対の回動軸５８が突設されている。回動軸５８は、全体として円柱状をなし、その突出端に、レバー７０を外れ止めするための前後一対の拡径部５８Ａが張り出して形成されている。また、両レバー装着板５６Ｂの後端両側端部には、左右一対（上下あわせて二対）の仮保持部５６Ｇが突設されている。
ロック片５７は、突縁部５５の上下両側から後方へ向けて平行に突出する板状をなし、上下一対ずつ計二対形成されている。各ロック片５７は、内外に撓み変形可能とされ、その外側面にロック突起５７Ａを有している。ロック片５７のうちロック突起５７Ａよりも後方領域には、ロック突起５７Ａとほぼ同幅の嵌合片５７Ｂが突出して形成されている。
【００３９】
レバー７０は、図１８ないし図２０に示すように、幅方向に延出する連結板７３と、連結板７３の両端から互いに平行に突出する左右一対の側板７１とからなり、全体として門型に形成されている。両側板７１には左右一対の軸受け孔７４が形成され、ここに回動軸５８が抜け止め状態で嵌合するようになっている。また、両側板７１には一端に開口して湾曲状に延出するカム溝７２が形成されている。
【００４０】
両側板７１には、外周面の除肉によって一段落ちた略Ｌの字状の薄肉部７１Ａが形成されている。薄肉部７１Ａの内縁には相互に平行する二条のスリット７１Ｂが形成され、薄肉部７１Ａの撓み変形動作が容易となるようにしてある。薄肉部７１Ａの内側面には、突起７１Ｅが形成されている。
【００４１】
レバー７０は、リアホルダ５０に跨るようにして組み付けられ、その軸受け孔７４にリアホルダ５０の回動軸５８を貫通させ、かつ両側板７１の後縁を仮保持部５６Ｇに当接させることにより、回動初期位置に留め置かれる。両ハウジング１０，８０を互いに接近させると、雄ハウジング８０側のカムピン８６がカム溝７２の入り口に臨む位置に配される。連結板７３を摘んでレバー７０を回動させると、カムピン８６がカム溝７２に沿って相対的に移動し、この移動動作に伴い両ハウジング１０，８０が互いに引き寄せられる。なお、カムピン８６のフランジ部８６Ａがカム溝７２の内周縁部７２Ａに摺接することで、レバー７０の拡開変形が防止される。
【００４２】
レバー７０は、両ハウジング１０，８０の嵌合動作が完了したあと、つまり雌雄の両端子金具が正規深さで接続されたあと、さらなる回動操作を行うことが可能となっている。これにより、シール部材４０と当接状態にあるリアホルダ５０の基部５１が嵌合筒部１２内を前進し、シール部材４０を厚み方向に圧縮するようになっている。つまり、レバー７０の回動ストロークは、両ハウジング１０，８０の嵌合動作に要するストロークに、シール部材４０の圧縮動作に要するストロークを付加して設定されることになる。
【００４３】
電線カバー６０は、図２１に示すように、前面及び右側面が開放されたキャップ状をなし、上下一対の側壁６１と両側壁６１の後端に沿って湾曲状に配された後壁６２とからなる。リアホルダ５０の後面から後方へ導出される電線群は、電線カバー６０の後壁６２の内側面６２Ａに屈曲案内されて右側方へ引き出されるようになっている。
【００４４】
電線カバー６０の後壁６２の左外側面は前方へ向けて昇り勾配の傾斜面６２Ｂとされ、後壁６２の右外側面は幅方向に沿ったストレート面６２Ｅとされる。後壁６２のストレート面６２Ｅには回動終端位置に至ったレバー７０の連結板７３が当着可能となっている。後壁６２においてストレート面６２Ｅと傾斜面６２Ｂとの境界部分には、レバー７０を回動終端位置に留め置くためのレバーロック部６３が形成されている。レバーロック部６３は、後壁６２において略コの字に入れられた切り込み６２Ｆ間にて内外に撓み変形可能となっており、その外側面に、レバー７０の連結板７３とその戻り方向で係止可能なレバーロック突起６３Ａが形成されている。
【００４５】
両側壁６１には、前方へ向けて突出する左右一対（上下あわせて二対）のロック受け片６４が撓み変形可能に形成されている。各ロック受け片６４は、略コの字に縁取られて周囲よりも一段高くなっており、その中央部に、略方形状のロック受け孔６４Ａが形成されている。電線カバー６０の組み付け時には、ロック受け片６４とリアホルダ５０のロック片５７とが弾性係止し、ロック受け孔６４Ａにロック突起５７Ａが嵌入可能となっている。また電線カバー６０の組み付け時には、ロック受け孔６４Ａを貫通したリアホルダ５０の嵌合片５７Ｂが、両側壁６１の外側面に乗り上げられる一方、ロック受け片６４の先端部が嵌合片５７Ｂの両脇を通過してロック片５７の外側面に乗り上げられる。こうしてロック片５７とロック受け片６４とが厚み方向に互い違いに重なり合うことにより、電線カバー６０がリアホルダ５０に強固に係止されるようになっている。
【００４６】
次に、本実施形態のコネクタの組み付け操作について説明する。まず、雌ハウジング１０の段差面１９に対し前方からコネクタシール９０を当着させ、さらにフロントマスク２０を端子収容部１１のガイド溝１１Ｆに沿って側方からスライド装着し、端子収容部１１の前面にフロントマスク２０の前板部２３を配備するとともに、フロントマスク２０と段差面１９との間にコネクタシール９０を挟み込む。また、端子収容部１１のリテーナ装着孔１４にリテーナ３０のアーム部３１を差し込み、係止構造部３４によりリテーナ３０を仮係止位置に留め置く。
【００４７】
続いて、リアホルダ５０の差込口に対し後方から電線１８に接続させた雌端子金具１３を挿入し、この雌端子金具１３を、差込路５１Ｂを通してシール部材４０の電線挿通孔４１に挿通し、さらに雌ハウジング１０の端子収容室１１Ａに収容させてランス１１Ｂにて一次係止する。そののち、リテーナ３０を深く差し込み、アーム部３１の係止突起３３を対応する端子収容室１１Ａに進入させ、この係止突起３３により雌端子金具１３を二次係止する。
【００４８】
また、リアホルダ５０の回動軸５８にレバー７０の軸受け孔７４を嵌合させ、リアホルダ５０の仮保持部５６Ｇにレバー７０の後端を係合させて、レバー７０を回動初期位置にて回動可能に支持させる。そして、嵌合筒部１２内（収容空間１２Ｓ）にシール部材４０を嵌入し、さらに後方からリアホルダ５０の基部５１を差し込み、嵌合筒部１２の外周面にリアホルダ５０の側部５６Ａ，５６Ｂを重ね合わせて、嵌合筒部１２の係止突部１７にリアホルダ５０の係止受け部５４を弾性係止させる。この状態でシール部材４０は、その前面が嵌合筒部１２の奥面（端子収容部１１の後面）に軽く当接するとともにその後面がリアホルダ５０の基部５１の押さえ面５１Ａに軽く当接しており、厚み方向に圧縮されることなく配される。その後、リアホルダ５０に対し後方から電線カバー６０を被せ付けて、リアホルダ５０のロック片５７に電線カバー６０のロック受け片６４を弾性係止させ、リアホルダ５０の後面から導出された電線群を電線カバー６０の後壁６２の内側面６２Ａにて右方へ屈曲案内させる。
【００４９】
次に、相手側となる雄ハウジング８０との嵌合動作ついて説明する。まず、端子収容部１１の前方に雄ハウジング８０のフード部８３を対峙させる（図１及び図５を参照）。この状態から、両ハウジング１０，８０を相互に接近させ、フロントマスク２０のガイドリブ受け溝２７にフード部８３のガイドリブ８５を進入させるとともに、レバー７０のカム溝７２の入り口にフード部８３のカムピン８６を進入させる（図２及び図６を参照）。続いて、レバー７０の連結板７３を摘んでレバー７０を図示時計回り方向に回動させ、カムピン８６とカム溝７２とのカム作用により両ハウジング１０，８０を互いに引き寄せる。すると、レバー７０の回動途中で、つまりカム溝７２の延出端にまでカムピン８６が到達していない位置で、フロントマスク２０の前面がフード部８３の奥面（端子装着部８２の前面）に当接し、両ハウジング１０，８０のそれ以上の接近動作が阻止される（図３及び図７を参照）。この正規嵌合状態で、雌端子金具１３の箱部１３Ａ内には対応する雄端子金具のタブ８１が正規深さで挿入されており、両端子金具が導通可能に接続される。
【００５０】
さらにレバー７０を回動終端位置へ向けて回動させ、嵌合筒部１２の外周面に沿ってリアホルダ５０の側部５６Ａ，５６Ｂをスライド移動させるとともに、嵌合筒部１２内（収容空間１２Ｓ）にてリアホルダ５０の基部５１を前進させる。すると、シール部材４０が基部５１の押さえ面５１Ａと嵌合筒部１２の奥面との間で厚み方向に圧潰され、さらにシール部材４０の内周面が縮径されて、電線１８が周方向から緊密に締め付けられる（図８を参照）。こうしてレバー７０が回動終端位置に至ると、レバー７０の後縁に電線カバー６０のレバーロック部６３が弾性係止してレバー７０の戻り操作が規制され、かつ、両ハウジング１０，８０の離脱動作が規制されるようになる（図４を参照）。
【００５１】
ところで、両ハウジング１０，８０が正規嵌合位置に至るまで、シール部材４０の厚み寸法は図中Ｙでほぼ一定厚みに保たれるが、そこからレバー７０が回動終端位置まで回動される間に、シール部材４０の厚み寸法は図中Ｚにまで短縮されることになる。この間、嵌合筒部１２の係止突部１７は、係止受け部５４の係合孔５４Ａの開口前端部との当接位置から後退し、係合孔５４Ａの開口前端部との間にクリアランスをあける。またレバー７０が回動終端位置に至ると、嵌合筒部１２の後端がリアホルダ５０の突縁部５５の前面に当着される。したがって、これら係止突部１７の配設位置及び嵌合筒部１２の後端位置の変位量Ｘを視認することにより、リアホルダ５０の側部５６Ａ，５６Ｂが嵌合筒部１２の外周面に沿って移動した移動量、つまりシール部材４０の圧縮量を知ることができるようになる。
【００５２】
以上のように本実施形態によれば、レバー７０を雌ハウジング１０に組み付けるのではなく、これらとは別体のリアホルダ５０に装着するようにしたから、レバー７０の組み付けに必要な構造がリアホルダ５０側に形成され、もって雌ハウジング１０を成形するための金型構造を簡素化することができる。
【００５３】
また、レバー７０を回動操作する前にはシール部材４０の各電線挿通孔４１は拡径状態にあるため、雌端子金具１３及び電線１８を容易に挿通させることができる。一方、レバー７０を回動させて両ハウジング１０，８０を正規嵌合させた後は、リアホルダ５０の基部５１が前進し、基部５１の押さえ面５１Ａと嵌合筒部１２の奥面との間にシール部材４０を圧縮するため、各電線挿通孔４１が縮径変形させられる。これにより、各電線１８は電線挿通孔４１の内周面に沿って緊密に密着するため、それぞれ確実にシールされた状態となる。結果として、サイズの大きな雌端子金具１３に対応して電線挿通孔４１の孔径を大きく設定することが可能となり、また、このように電線挿通孔４１の孔径を大きくすることで、雌端子金具１３の挿入時に電線挿通孔４１の内周面やシール部材４０の孔縁が損傷する事態を回避できるようになる。
【００５４】
＜実施形態２＞
次に、本発明の実施形態２を図２６及び図２７によって説明する。実施形態２のコネクタは、実施形態１とは異なる非防水タイプのコネクタであって、シール部材４０及びコネクタシール９０を保有していない。もっとも、実施形態２のコネクタは、リアホルダ５０を除いて、雌ハウジング１０、フロントマスク２０、リテーナ３０、レバー７０、電線カバー６０の各形態が、実施形態１と同一であり、実施形態１との間に互換性のある構造となっている。よって、実施形態１と同一構造部位には同一符号を付し、重複する説明は省略する。
【００５５】
実施形態２では、リアホルダ５０と対応する位置に、リアパーツ５０Ａが配されている。リアパーツ５０Ａは、リアホルダ５０と同様、前面が開放されたキャップ状をなし、基部５１Ｑ、突縁部５５、側部５６Ａ，５６Ｂ、ロック片５７を備える。このうち突縁部５５、側部５６Ａ，５６Ｂ、ロック片５７の各形態はリアホルダ５０と同一であり、基部５１Ｑの形態のみリアホルダ５０と異なる。
【００５６】
すなわち、基部５１Ｑは、その前後長さが実施形態１における基部５１の前後長さにシール部材４０の厚み寸法を加算した分だけ設定されており、雌ハウジング１０の嵌合筒部１２内（収容空間１２Ｓ）に収容されたときには嵌合筒部１２の内周面の全体を被覆可能となっている。また、基部５１Ｑの延長に伴い、差込路５１Ｂの全長も実施形態１と比べて長くなっている。
【００５７】
雌端子金具１３及び雌端子金具１３に接続された電線１８は、基部５１Ｑの後面にて開口する差込口に挿入され、さらに差込路５１Ｂを通して端子収容部１１の端子収容室１１Ａ内へ進入する。この場合に、差込路５１Ｂが対応する端子収容室１１Ａに至るまで長さ方向に連続しているから、雌端子金具１３は、差込口から端子収容室１１Ａへ至るまでの間、ほぼ切れ目なく差し込み操作が案内されることとなり、円滑な差し込み操作が可能とされる。
【００５８】
かかる実施形態２の態様は、コネクタとして防水性が特に要求されない場合に選択され、リアパーツ５０Ａが雌ハウジング１０の嵌合筒部１２内（収容空間１２Ｓ）に嵌め入れられる。一方、コネクタとして防水性が要求される場合には、実施形態１の態様が選択され、嵌合筒部１２内（収容空間１２Ｓ）にシール部材４０を収容したのちリアホルダ５０が嵌合筒部１２内（収容空間１２Ｓ）に嵌め入れられる。すなわち、リア部材として、リアホルダ５０（第１リア部材）とリアパーツ５０Ａ（第２リア部材）の２種類を用意しておけば、使用目的（防水、非防水）に応じた使い分けが可能となり、適用の選択の幅が広がる。
【００５９】
以上のように、コネクタとしての防水性の要求の有無に応じ、第１、第２のリア部材（リアホルダ５０、リアパーツ５０Ａ）を選択して雌ハウジング１０に装着することにより、雌ハウジング１０を共用化することができる。その結果、仕様毎の専用品とならないため、部品種を減らすことができる。
【００６０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）実施形態１では、リアホルダの基部が相当な前後長さを有して構成されていたが、本発明によれば、リアホルダの基部が板状に形成されていてもよい。
（２）実施形態１では、両ハウジングが正規嵌合位置に至るまで、シール部材が厚み方向に圧縮されなかったが、本発明によれば、両ハウジングが正規嵌合位置に至るまでに、シール部材がリアホルダの押さえ面にてある程度圧縮されてもよい。その後、レバーが回動終端位置まで回動されることで、シール部材がリアホルダの押さえ面にてさらに圧縮され、もって確実にシールされた状態になればよい。
（３）実施形態１では、フロントマスク、リテーナ、コネクタシール、電線カバーを備えていたが、本発明によれば、これらの一部または全部を備えていなくても構わない。
【図面の簡単な説明】
【００６１】
【図１】実施形態１において雌ハウジングが相手側の雄ハウジングと嵌合する前の状態を示す平面図
【図２】レバーが回動初期位置にあってカム溝の入り口にカムピンが進入した状態を示す平面図
【図３】レバーが回動途中にある状態を示す平面図
【図４】レバーが回動終端位置に至った状態を示す平面図
【図５】雌ハウジングが相手側の雄ハウジングと嵌合する前の状態を示す横断面図
【図６】雌ハウジングと相手側の雄ハウジングとが接近する途中の状態を示す横断面図
【図７】雌ハウジングと相手側の雄ハウジングとが正規嵌合された状態を示す横断面図
【図８】リアホルダの押さえ面にてシール部材が圧縮された状態を示す横断面図
【図９】相手側の雄ハウジングの正面図
【図１０】雌ハウジングの右側面図と正面図
【図１１】リテーナと雌ハウジングのそれぞれの背面図
【図１２】フロントマスクの正面図とそのＡ−Ａ断面図
【図１３】シール部材の正面図とそのＢ−Ｂ断面図
【図１４】シール部材の背面図
【図１５】リアホルダの正面図
【図１６】リアホルダの平面図
【図１７】リアホルダの側断面図
【図１８】レバーの平面図
【図１９】レバーの正面図
【図２０】レバーの横断面図
【図２１】電線カバーの平面図と背面図
【図２２】仮係止位置にあるフロントマスクの正面図
【図２３】コネクタの正面図
【図２４】雌ハウジングとリテーナのそれぞれの横断面図
【図２５】フロントマスクを仮係止状態としてタブ挿通口から治具を通して導通検査を行っている状態を示す横断面図
【図２６】実施形態２のリア部材の側断面図
【図２７】コネクタの側断面図
【符号の説明】
【００６２】
１０…雌ハウジング（コネクタハウジング）
１１…端子収容部
１１Ａ…端子収容室
１３…雌端子金具（端子金具）
１８…電線
２０…フロントマスク
２３…前板部
３０…リテーナ
４０…シール部材
４１…電線挿通孔
５０…リアホルダ
５１…基部
５１Ａ…押さえ面
５４…係止受け部
５４Ａ…係合孔
５７…ロック片
６０…電線カバー
６２…後壁
６３Ａ…レバーロック突起
７０…レバー
７３…連結板
８０…雄ハウジング（相手側コネクタハウジング）
８１…タブ
【図１】
2006302769.tif 000003
【図２】
2006302769.tif 000004
【図３】
2006302769.tif 000005
【図４】
2006302769.tif 000006
【図５】
2006302769.tif 000007
【図６】
2006302769.tif 000008
【図７】
2006302769.tif 000009
【図８】
2006302769.tif 000010
【図９】
2006302769.tif 000011
【図１０】
2006302769.tif 000012
【図１１】
2006302769.tif 000013
【図１２】
2006302769.tif 000014
【図１３】
2006302769.tif 000015
【図１４】
2006302769.tif 000016
【図１５】
2006302769.tif 000017
【図１６】
2006302769.tif 000018
【図１７】
2006302769.tif 000019
【図１８】
2006302769.tif 000020
【図１９】
2006302769.tif 000021
【図２０】
2006302769.tif 000022
【図２１】
2006302769.tif 000023
【図２２】
2006302769.tif 000024
【図２３】
2006302769.tif 000025
【図２４】
2006302769.tif 000026
【図２５】
2006302769.tif 000027
【図２６】
2006302769.tif 000028
【図２７】
2006302769.tif 000029